(57)【要約】      （修正有）【課題】妊婦が胎児の生育に合わせて大きくなる腹部の突出度合いに合わせて下着の左右の側面に設けた縦長の幅拡張布の幅を広狭調整するようにして着用時の窮屈感が無く、軽快に着用が行えるようにし、しかもデザイン性を配慮したマタニティ用下着を提供する。【解決手段】前身頃側の身丈Ｌが少なくとも腹部２までに到り、周囲下縁３が腰回りに形成され、かつ前身頃４の上部には左右のアンダーバスト・ライン５,５が配列された下着本体1のアンダーバスト・ライン下方において、中央部6よりも左右の脇の下７,７寄りに、２本の縦長の幅拡張布８,８を設け、幅拡張布は適宜止着手段９により幅Ｗを広狭調整可能に固定される。また、幅拡張布は、編み上げ紐１１、スライダー２０を有するファスナー２１、ベロクロ・ファスナー３０、フック４０とフック・アイ４１、雄雌のスナップ、ボタン５０とボタン穴５１よりなる止着手段９の何れかが使用される。【選択図】図１
0003106955.tif 000002
【実用新案登録請求の範囲】
【請求項１】
前身頃側の身丈が少なくとも腹部までに到り、周囲下縁が腰回りに形成され、かつ前身頃の上部には左右のアンダーバスト・ラインが配列された下着本体の前記アンダーバスト・ライン下方において、中央部よりも左右の脇の下寄りに、２本の縦長の幅拡張布を設け、該幅拡張布は適宜止着手段により幅を広狭調整可能に固定されることを特徴としたマタニティ用下着。
【請求項２】
前身頃側の身丈が少なくとも腹部までに到り、周囲下縁が腰回りに形成され、かつ前身頃の上部には左右のアンダーバスト・ラインが配列された下着本体の前記アンダーバスト・ライン下方において、中央部よりも左右の脇の下寄りに、２本の縦長の幅拡張布を設け、該幅拡張布は、編み上げ紐、または、スライダーを有するファスナー、ベロクロ・ファスナー、フックとフック・アイ、雄雌のスナップ、ボタンとボタン穴よりなる止着手段の何れかにより幅を広狭調整可能に固定されることを特徴としたマタニティ用下着。
【請求項３】
前身頃側の身丈が少なくとも腹部までに到り、周囲下縁が腰回りに形成され、かつ前身頃の上部には左右のアンダーバスト・ラインが配列された下着本体の前記アンダーバスト・ライン下方において、中央部よりも左右の脇の下寄りに設けられる２本の縦長の幅拡張布が、正面略三角形に形成されることを特徴としたマタニティ用下着。
【請求項４】
前記下着本体が、ウエストニッパー、ブラジャー付きウェストニッパーであることを特徴とする請求項１,２,３の何れかに記載のマタニティ用下着。
【考案の詳細な説明】
【技術分野】
【０００１】
本考案はマタニティ用下着に関し、例えばウェストニッパー、ブラジャー付きウェストニッパーのような下着に適し、妊婦が胎児の生育に合わせて大きくなる腹部の突出度合いに合わせて下着の左右の側面に設けた縦長の幅拡張布の幅を広狭調整するようにして着用時の窮屈感が無く、軽快に着用が行えるようにし、しかもデザイン性を配慮したものである。
【背景技術】
【０００２】
従来、例えば女性用下着として体形を整えるために胴部に装着するものとしてウェストニッパーがある（例えば特許文献１参照）。
【特許文献１】実開平６−３０１０６号公報
【考案の開示】
【考案が解決しようとする課題】
【０００３】
しかしながら、特許文献１に記載の上記従来のウェストニッパーは、一定長さに下着本体が形成されているので、胎児の生育に応じて大きな腹部となる妊婦が胴部に巻き付けることにより着用する場合には、圧迫感や窮屈感を覚え、着用に適さない。しかも、特許文献１に記載の上記従来のウェストニッパーは、着用後には妊婦の大きな腹部により下方から押圧されることにより着用したウェストニッパーの下縁がめくり上がって、ウェストニッパーが正規の着用位置からずれ動くため、着用感が悪くなったり、外観的にも不体裁になることがあった。また、ウェストニッパーの締付けにより腹部が圧迫されることから胎教にも良くなかった。
【０００４】
本考案は上記従来の欠点を解決し、胎児の生育に合わせて大きくなる腹部の突出度合いに合わせて妊婦が着用する場合に、圧迫感や窮屈感を覚えることないとともに胎教に悪影響を及ぼすことがなく、しかも着用時にめくり上がりやずれ動がなく正規位置に着用が行えるとともに爽快に着用が行え、また取り扱い操作が簡単であり、デザイン的にもスマートなマタニティ用下着を提供することを目的とする。
【課題を解決するための手段】
【０００５】
本考案は上記課題に鑑みなされたものであり、請求項１に記載の考案は、前身頃側の身丈が少なくとも腹部までに到り、周囲下縁が腰回りに形成され、かつ前身頃の上部には左右のアンダーバスト・ラインが配列された下着本体の前記アンダーバスト・ライン下方において、中央部よりも左右の脇の下寄りに、２本の縦長の幅拡張布を設け、該幅拡張布は適宜止着手段により幅を広狭調整可能に固定されることを特徴とした。
【０００６】
また、本考案の請求項２に記載の考案は、前身頃側の身丈が少なくとも腹部までに到り、周囲下縁が腰回りに形成され、かつ前身頃の上部には左右のアンダーバスト・ラインが配列された下着本体の前記アンダーバスト・ライン下方において、中央部よりも左右の脇の下寄りに、２本の縦長の幅拡張布を設け、該幅拡張布は、編み上げ紐、または、スライダーを有するファスナー、ベロクロ・ファスナー、フックとフック・アイ、雄雌のスナップ、ボタンとボタン穴よりなる止着手段の何れかにより幅を広狭調整可能に固定されることを特徴とした。
【０００７】
また、本考案の請求項３に記載の考案は、前身頃側の身丈が少なくとも腹部までに到り、周囲下縁が腰回りに形成され、かつ前身頃の上部には左右のアンダーバスト・ラインが配列された下着本体の前記アンダーバスト・ライン下方において、中央部よりも左右の脇の下寄りに設けられる２本の縦長の幅拡張布が、正面略三角形に形成されることを特徴とした。
【０００８】
また、本考案の請求項４に記載の考案は、請求項１,２,３の何れかにおいて、前記下着本体が、ウエストニッパー、ブラジャー付きウェストニッパーであることを特徴とする。
【考案の効果】
【０００９】
本考案は、妊婦が胎児の生育に合わせて大きくなる腹部の突出度合いに合わせて下着の左右の側面に設けた縦長の幅拡張布の幅を広狭調整するようにして着用時の窮屈感が無く、軽快に着用が行えるようにし、しかもデザイン性に優れるようにしたものである。
【考案を実施するための最良の形態】
【００１０】
以下図面に従い、本考案を実施するための最良の形態につき詳細を説明する。
【００１１】
図１は本考案のマタニティ用下着の実施形態１を示し、ブラジャー付きウェストニッパーに適用した展開状態の正面図、図２は同じく裏面図、図３は同じく幅拡張布に対する止着手段としてスライダーを有するファスナーを用いた第１変形例を示す拡大正面図、図４は同じく止着手段としてベロクロ・ファスナーを用いた第２変形例を示す拡大正面図、図５は同じく止着手段としてフックとフック・アイを示す第３変形例を示す拡大正面図、さらに、図６は同じく止着手段としてボタンとボタン穴を示す第４変形例を示す拡大正面図である。
【００１２】
本実施形態１は、前身頃４側の身丈Ｌが少なくとも腹部２までに到り、周囲下縁３が腰回りに形成され、かつ前身頃４の上部には左右のアンダーバスト・ライン５,５が配列された下着本体1の前記アンダーバスト・ライン５,５の下方において、中央部６よりも左右の脇の下７,７寄りに、２本の縦長の幅拡張布８,８を設け、該幅拡張布８,８は適宜止着手段９により幅Ｗを広狭調整可能に固定されることを特徴とした。
【００１３】
図示する本実施形態１の下着本体１としては、左右のブラジャーカップ１０,１０が前身頃４の上部に装着されたブラジャー付きウェストニッパーが示されている（図１,図２参照）。
【００１４】
前記幅拡張布８,８は、本実施形態１では妊婦の腹部２が胎児の生育に合わせて大きくなる場合に、腹部２の突出度合いに合わせて下着本体１を圧迫感や窮屈感を覚えることなく爽快に下着本体１を装着できるとともに下着本体１のめくり上がりや着用時の正規位置からのずれ動きを防止して着用がおこなわれるように末広がりの正面略三角形に形成される。
【００１５】
前記止着手段９としては、本実施形態１では図示するように編み上げ紐１１を用いているが、これに限ることなく、例えば図３の第１変形例に示すようにスライダー２０を有するファスナー２１を用いたり、また、図４の第２変形例に示すようにベロクロ・ファスナー３０を用いたり、図５の第３変形例に示すようにフック４０とフック・アイ４１を用いたり、図には示さないが雄雌のスナップを用いたり、さらには図６の第４変形例に示すようにボタン５０とボタン穴５１がある。
【００１６】
１２は下着本体１の左右の一端に設けた複数個のフック１２Ａと、このフック１２Ａが着脱可能に下着本体ｌの他端側に列を違えて複数個が設けられたフックアイ１２Ｂとよりなる装着用の止着具であり、この止着具１２は下着本体１を妊婦の胴部に巻き付ける場合に用いる。
【００１７】
本実施形態１のマタニティ用下着は以上の構成からなり、妊婦が下着本体１を装着するのには、先ず、下着本体１の中央部６に対して左右の脇の下７,７寄りに設けられた２本の縦長の幅拡張布８,８の幅Ｗを広狭調整する。
【００１８】
この幅拡張布８,８の幅Ｗを広狭調整するのには、本実施形態１では、止着手段９としての編み上げ紐１１の結び目を解いて編み上げ紐１１による拘束を解除して行う。
【００１９】
そして、下着本体１を着用するには、本実施形態１の下着本体１は、図１、図２に示すように、左右のブラジャーカップ１０,１０が前身頃４の上部に装着されたブラジャー付きウェストニッパーであるので、下着本体ｌの一端側に列を違えて設けられた複数個のフックアイ１２Ｂのうち、自己の腹部２の大きさに丁度良い位置のフックアイ１２Ｂを選択し、このフックアイ１２Ｂに対して下着本体１の他端に設けた複数個のフック１２Ａを係止することにより、下着本体１を胴部に巻き付ける。しかも、下着本体１の前身頃４の上部に装着された左右のブラジャーカップ１０,１０に自己のバストを収めて胸部の形態を整える。
【００２０】
その後、妊婦は胎児の生育により大きくなった自己の腹部２の大きさに合わせて窮屈感や圧迫感を覚えることがない程度に編み上げ紐１１を締め戻して再び結び直すことにより左右の幅拡張布８,８の幅Ｗ,Ｗを広狭調整する。
【００２１】
この際、幅拡張布８,８は、正面略三角形に形成されているので、妊婦の腹部２が胎児の生育により大きくなっていても、外部から大きくなった腹部２が目立たないように自己の体形に合わせて幅拡張布８,８の幅Ｗ,Ｗを広狭調整操作を行ってから下着本体１の装着を行うことにより圧迫感や窮屈感を覚えることなく爽快に下着本体１の装着を行うことができる。
【００２２】
しかも、妊婦は前述のように、下着本体１の中央部６に対して左右の脇の下７,７寄りに設けられた２本の縦長の幅拡張布８,８の幅Ｗ,Ｗを前述のように止着手段９としての編み上げ紐１１の結び目を解いたり、編み上げ紐１１を再び結ぶ等することにより左右均衡して広狭調整することにより下着本体１は装用されるので、下着本体１のめくり上がりや着用時に下着本体１が正規位置からのずれ動いて着崩れるのを防止することができるとともにデザイン性にも優れる。従って、例えば、日常に下着本体１を着用することはもとより下着本体１はドレスや礼服の下に、またウェディングドレスの上半身に装着する場合に最適である。
【００２３】
また、妊婦は産後、自己の腹部２の大きさが妊娠前の状態に戻った状態にて下着本体１を着用するのには、下着本体１の左右に設けた幅拡張布８,８の幅Ｗを前述の止着手段９の編み上げ紐１１の止着操作により最も狭く調整した下で下着本体１を装着すれば良い。
【００２４】
従って、下着本体１は産前および産後の双方に使用することができ、有益である。
【００２５】
なお、上記説明では、下着本体１の中央部６に対して左右の脇の下７,７寄りに設けられた２本の縦長の幅拡張布８,８の幅Ｗを広狭調整するための止着手段９としては、編み上げ紐１１を採用した場合を代表的に説明したが、これに限ることなく、止着手段９としては例えば、図３に示す第１変形例のようにスライダー２０を有するファスナー２１を用いたり、また、図４に示す第２変形例のようにベロクロ・ファスナー３０を用いたり、また図５に示す第３変形例のようにフック４０とフック・アイ４１を用いたり、さらには、図には示さないが、雄雌のスナップを用いたり、図６に示す第４変形例のようにボタン５０とボタン穴５１よりなる何れかを採用して幅拡張布８,８の幅Ｗを広狭調整することもできる。
【００２６】
また、図７に示すものは、本考案のマタニティ用下着の実施形態２である。
【００２７】
図１ないし図６に示す前記実施形態１の下着本体１が、前身頃４の上部に左右のブラジャーカップ１０,１０が装着されたブラジャー付きウェストニッパーであるのに対してこの実施形態２では、ブラジャー（図には示さない）は下着本体１とは個別のものを下着本体１と組み合わせ使用されるように、下着本体１は、左右のブラジャーカップが設けられていないウェストニッパーである点が前記実施形態１とは異なる構成、作用であるほかは前記実施形態１と同様の構成、作用である。
【産業上の利用可能性】
【００２８】
本考案は妊婦が胎児の生育に合わせて大きくなる腹部の突出度合いに合わせて下着本体の左右の側面に設けた縦長の幅拡張布の幅を広狭調整するようにして着用時の窮屈感が無く、軽快に着用が行えるようにし、しかもデザイン性に優れるようにした分野・用途に適する。
【図面の簡単な説明】
【００２９】
【図１】図１は本考案のマタニティ下着の実施形態１を示し、ブラジャー付きウェストニッパーに適用した展開状態の正面図である。
【図２】図２は同じく裏面図である。
【図３】図３は本実施例を構成する幅拡張布に対する止着手段としてスライダーを有するファスナーを用いた第１変形例を示す拡大正面図である。
【図４】図４は同じく止着手段としてベロクロ・ファスナーを用いた第２変形例を示す拡大正面図である。
【図５】図５は同じく止着手段としてフックとフック・アイを示す第３変形例を示す拡大正面図である。
【図６】図６は同じく止着手段としてボタンとボタン穴を示す第４変形例を示す拡大正面図である。
【図７】図７は本考案のマタニティ用下着の実施形態２を示す正面図である。
【符号の説明】
【００３０】
１      下着本体
２      腹部
３      下縁
４      前身頃
５      アンダーバスト・ライン
６      中央部
７      脇の下
８      幅拡張布
９      止着手段
１０    ブラジャーカップ
Ｗ      幅
【図１】
0003106955.tif 000003
【図２】
0003106955.tif 000004
【図３】
0003106955.tif 000005
【図４】
0003106955.tif 000006
【図５】
0003106955.tif 000007
【図６】
0003106955.tif 000008
【図７】
0003106955.tif 000009
【手続補正書】
【提出日】平成16年9月15日(2004.9.15)
【手続補正１】
【補正対象書類名】実用新案登録請求の範囲
【補正対象項目名】請求項２
【補正方法】変更
【補正の内容】
【請求項２】
前身頃側の身丈が少なくとも腹部までに到り、周囲下縁が腰回りに形成され、かつ前身頃の上部には左右のアンダーバスト・ラインが配列された下着本体の前記アンダーバスト・ライン下方において、中央部よりも左右の脇の下寄りに、２本の縦長の幅拡張布を設け、該幅拡張布は、編み上げ紐、または、スライダーを有するファスナー、雄の係止鉤群と、該係止鉤群が係脱可能な雌の係止ループ群とよりなる面ファスナー、フックとフック・アイ、雄雌のスナップ、ボタンとボタン穴よりなる止着手段の何れかにより幅を広狭調整可能に固定されることを特徴としたマタニティ用下着。
【手続補正２】
【補正対象書類名】明細書
【補正対象項目名】０００６
【補正方法】変更
【補正の内容】
【０００６】
また、本考案の請求項２に記載の考案は、前身頃側の身丈が少なくとも腹部までに到り、周囲下縁が腰回りに形成され、かつ前身頃の上部には左右のアンダーバスト・ラインが配列された下着本体の前記アンダーバスト・ライン下方において、中央部よりも左右の脇の下寄りに、２本の縦長の幅拡張布を設け、該幅拡張布は、編み上げ紐、または、スライダーを有するファスナー、雄の係止鉤群と、該係止鉤群が係脱可能な雌の係止ループ群とよりなる面ファスナー、フックとフック・アイ、雄雌のスナップ、ボタンとボタン穴よりなる止着手段の何れかにより幅を広狭調整可能に固定されることを特徴とした。
【手続補正３】
【補正対象書類名】明細書
【補正対象項目名】００１５
【補正方法】変更
【補正の内容】
【００１５】
前記止着手段９としては、本実施形態１では図示するように編み上げ紐１１を用いているが、これに限ることなく、例えば図３の第１変形例に示すようにスライダー２０を有するフアスナー２１を用いたり、また、図４の第２変形例に示すように雄の係止鉤群と、該係止鉤群が係脱可能な雌の係止ループ群とよりなる面ファスナー３０を用いたり、図５の第３変形例に示すようにフック４０とフック・アイ４１を用いたり、図には示さないが雄雌のスナップを用いたり、さらには図６の第４変形例に示すようにボタン５０とボタン穴５１がある。
【手続補正４】
【補正対象書類名】明細書
【補正対象項目名】００２５
【補正方法】変更
【補正の内容】
【００２５】
なお、上記説明では、下着本体１の中央部６に対して左右の脇の下７,７寄りに設けられた２本の縦長の幅拡張布８,８の幅Ｗを広狭調整するための止着手段９としては、編み上げ紐１１を採用した場合を代表的に説明したが、これに限ることなく、止着手段９としては、例えば、図３に示す第１変形例のようにスライダー２０を有するファスナー２１を用いたり、また、図４に示す第２変形例のように雄の係止鉤群と、該係止鉤群が係脱可能な雌の係止ループ群とよりなる面ファスナー３０を用いたり、図５に示す第３変形例のようにフック４０とフック・アイ４１を用いたり、さらには、図には示さないが、雄雌のスナップを用いたり、図６に示す第４変形例のようにボタン５０とボタン穴５１よりなる何れかを採用して幅拡張布８,８の幅Ｗを広狭調整することもできる。
【手続補正５】
【補正対象書類名】明細書
【補正対象項目名】００２９
【補正方法】変更
【補正の内容】
【００２９】
【図１】図１は本考案のマタニティ下着の実施形態１を示し、ブラジャー付きウェストニッパーに適用した展開状態の正面図である。
【図２】図２は同じく裏面図である。
【図３】図３は本実施例を構成する幅拡張布に対する止着手段としてスライダーを有するフアスナーを用いた第１変形例を示す拡大正面図である。
【図４】図４は同じく止着手段として雄の係止鉤群と、該係止鉤群が係脱可能な雌の係止ループ群とよりなる面ファスナーを用いた第２変形例を示す拡大正面図である。
【図５】図５は同じく止着手段としてフックとフック・アイを示す第３変形例を示す拡大正面図である。
【図６】図６は同じく止着手段としてボタンとボタン穴を示す第４変形例を示す拡大正面図である。
【図７】図７は本考案のマタニティ用下着の実施形態２を示す正面図である。